(57)【要約】【課題】本発明は、供給終了扱いの水素吸蔵合金容器の一方を減圧して他方の容器から水素を流入させ、加熱して水素を燃料電池に供給して、水素供給量を従来より増加させることを目的とする。【解決手段】本発明による水素吸蔵合金を用いた燃料電池用水素供給方法及び装置は、水素供給が終了した一対の水素吸蔵合金容器（５，５ａ）の一方を冷却・減圧して他方の容器（５ａ）から水素を流入させ、加熱することによって一方の容器（５）内の水素を燃料電池（１）に供給する方法と構成である。【選択図】        図１
2005063703.tif 000002
【特許請求の範囲】
【請求項１】
複数個の水素吸蔵合金容器（５〜５ｂ）から水素を燃料電池（１）に供給するようにした水素吸蔵合金容器を用いた燃料電池用水素供給方法において、
前記各水素吸蔵合金容器（５〜５ｂ）のうち、水素供給を終了した一対の第１、第２水素吸蔵合金容器（５，５ａ）の一方の第１水素吸蔵合金容器（５）を冷却して減圧させ、前記第１、第２水素吸蔵合金容器（５，５ａ）を連結することにより前記第２水素吸蔵合金容器（５ａ）内に残存している水素が前記第１水素吸蔵合金容器（５）内に流入し、
前記第１水素吸蔵合金容器（５）を加熱することにより昇圧し、水素を前記燃料電池（１）に供給することを特徴とする水素吸蔵合金を用いた燃料電池用水素供給方法。
【請求項２】
前記第１水素吸蔵合金容器（５）の加熱は、前記燃料電池（１）の排熱を利用することを特徴とする請求項１記載の水素吸蔵合金を用いた燃料電池用水素供給方法。
【請求項３】
前記第１水素吸蔵合金容器（５）には、前記燃料電池（１）から排気される水素を回収することを特徴とする請求項１又は２記載の水素吸蔵合金を用いた燃料電池用水素供給方法。
【請求項４】
前記燃料電池（１）から排気される水素は、精製された後に前記第１水素吸蔵合金容器（５）に回収することを特徴とする請求項１ないし３の何れかに記載の水素吸蔵合金を用いた燃料電池用水素供給方法。
【請求項５】
複数個の水素吸蔵合金容器（５〜５ｂ）から水素を燃料電池（１）に供給するようにした水素吸蔵合金容器を用いた燃料電池用水素供給装置において、
前記各水素吸蔵合金容器を構成する第１〜第３水素吸蔵合金容器（５〜５ｂ）と前記燃料電池（１）との間に設けられた供給開閉弁（７，８，９）と、前記第１〜第３水素吸蔵合金容器（５〜５ｂ）間に設けられ前記第１〜第３水素吸蔵合金容器（５〜５ｂ）間を接続又は遮断するための接断弁（２０，２１）と、前記第１〜第３水素吸蔵合金容器（５〜５ｂ）を加熱するための加熱手段（１１）とを備え、前記第１〜第３水素吸蔵合金容器（５〜５ｂ）のうち、水素供給を終了した一対の第１、第２水素吸蔵合金容器（５，５ａ）の一方の第１水素吸蔵合金容器（５）を冷却して減圧させ、前記第１、第２水素吸蔵合金容器（５，５ａ）を連結することにより前記第２水素吸蔵合金容器（５ａ）内に残存している水素が前記第１水素吸蔵合金容器（５）内に流入し、前記第１水素吸蔵合金容器（５）を前記加熱手段（１１）で加熱することにより昇圧し、水素を前記燃料電池（１）に供給するように構成したことを特徴とする水素吸蔵合金を用いた燃料電池用水素供給装置。
【請求項６】
前記加熱手段（１１）は、前記燃料電池（１）からの排熱を用いることを特徴とする請求項５記載の水素吸蔵合金を用いた燃料電池用水素供給装置。
【発明の詳細な説明】
【０００１】
【発明の属する技術分野】
本発明は、水素吸蔵合金を用いた燃料電池用水素供給方法及び装置に関し、特に、燃料電池への水素の供給が終了した水素吸蔵合金容器内の残存した水素を、他の容器に移送して加熱することによって燃料電池への水素の長期供給を可能とし、従来よりも長時間の燃料電池の連続運転を可能とするための新規な改良に関する。
【０００２】
【従来の技術】
従来、用いられていたこの種の水素吸蔵合金を用いた燃料電池用水素供給方法及び装置としては、図１３に示す特許文献１の構成の概略を示すことができる。
図１３において符号１で示されるものは燃料電池であり、この燃料電池１には第１、第２圧力調整弁２、３を介して酸素供給装置４及び水素吸蔵合金容器５が接続されている。
【０００３】
前記酸素供給装置４は第１供給開閉弁６を介して第１圧力調整弁２に接続され、前記水素吸蔵合金容器５は第２供給開閉弁７を介して第２圧力調整弁３に接続され、前記各弁３、７は制御部１０によりその動作が制御されるように構成されている。
【０００４】
前記水素吸蔵合金容器５には、加熱手段１１が設けられ、この加熱手段１１には、前記燃料電池１からの排熱１２が温度調整弁１３及び熱交換器１４を介して接続され、加熱されるように構成されている。
【０００５】
【特許文献１】
特開平５−２９０１４５号公報
【０００６】
次に、動作について述べる。前述の構成において、各弁２、３、６、７、１３を開弁することにより、水素吸蔵合金容器５が加熱されることによって圧力が上昇し、燃料電池１内に酸素と水素が供給され、燃料電池１の運転が行われる。
【０００７】
【発明が解決しようとする課題】
従来の水素吸蔵合金を用いた燃料電池用水素供給方法及び装置は、以上のように構成されていたため、次のような課題が存在していた。
すなわち、水素吸蔵合金容器においては、貯蔵されている水素を燃料電池に供給する時に、燃料電池に必要な圧力より高い水素ガス圧力が必要であり、水素を燃料電池に供給した後に圧力が低下してくると水素の供給が不可能となり、水素吸蔵合金容器内に水素が残存し、この残存した水素は取り出せず、結果的には、長時間の燃料電池の運転が困難であった。
【０００８】
本発明は、以上のような課題を解決するためになされたもので、特に、燃料電池への水素の供給が終了した水素吸蔵合金容器内の残存した水素を、他の容器に移送して加熱することによって燃料電池への水素の長期供給を可能とし、従来よりも長時間の燃料電池の連続運転を可能とするようにした水素吸蔵合金を用いた燃料電池用水素供給方法及び装置を提供することを目的とする。
【０００９】
【課題を解決するための手段】
本発明による水素吸蔵合金を用いた燃料電池用水素供給方法は、複数個の水素吸蔵合金容器から水素を燃料電池に供給するようにした水素吸蔵合金容器を用いた燃料電池用水素供給方法において、前記各水素吸蔵合金容器のうち、水素供給を終了した一対の第１、第２水素吸蔵合金容器の一方の第１水素吸蔵合金容器を冷却して減圧させ、前記第１、第２水素吸蔵合金容器を連結することにより前記第２水素吸蔵合金容器内に残存している水素が前記第１水素吸蔵合金容器内に流入し、前記第１水素吸蔵合金容器を加熱することにより昇圧し、水素を前記燃料電池に供給する方法であり、また、前記第１水素吸蔵合金容器の加熱は、前記燃料電池の排熱を利用する方法であり、また、前記第１水素吸蔵合金容器には、前記燃料電池から排気される水素を回収する方法であり、また、前記燃料電池から排気される水素は、精製された後に前記第１水素吸蔵合金容器に回収する方法であり、また、本発明による水素吸蔵合金を用いた燃料電池用水素供給装置は、複数個の水素吸蔵合金容器から水素を燃料電池に供給するようにした水素吸蔵合金容器を用いた燃料電池用水素供給装置において、前記各水素吸蔵合金容器を構成する第１〜第３水素吸蔵合金容器と前記燃料電池との間に設けられた供給開閉弁と、前記第１〜第３水素吸蔵合金容器間に設けられ前記第１〜第３水素吸蔵合金容器間を接続又は遮断するための接断弁と、前記第１〜第３水素吸蔵合金容器を加熱するための加熱手段とを備え、前記第１〜第３水素吸蔵合金容器のうち、水素供給を終了した一対の第１、第２水素吸蔵合金容器の一方の第１水素吸蔵合金容器を冷却して減圧させ、前記第１、第２水素吸蔵合金容器を連結することにより前記第２水素吸蔵合金容器内に残存している水素が前記第１水素吸蔵合金容器内に流入し、前記第１水素吸蔵合金容器を前記加熱手段で加熱することにより昇圧し、水素を前記燃料電池に供給するようにした構成であり、また、前記加熱手段は、前記燃料電池からの排熱を用いる構成である。
【００１０】
【発明の実施の形態】
以下、図面と共に本発明による水素吸蔵合金を用いた燃料電池用水素供給方法及び装置の好適な実施の形態について説明する。尚、従来例と同一又は同等部分には同一符号を付して説明する。
図１において符号１で示されるものは燃料電池であり、この燃料電池１には第１、第２圧力調整弁２、３を介して酸素供給装置４及び第１〜第３水素吸蔵合金容器５〜５ｂが接続されている。
【００１１】
前記酸素供給装置４は、第１供給開閉弁６を介して第１圧力調整弁２に接続され、前記第１〜第３水素吸蔵合金容器５、５ａ、５ｂは第２、第３、第４供給開閉弁７、８、９を介して第２圧力調整弁３に接続されている。
前記第１、第２、第３水素吸蔵合金容器５、５ａ、５ｂの各間には、それらの間を接続又は遮断するための第１、第２接断弁２０、２１が設けられている。
【００１２】
前記各弁２、３、６、７、８、９、２０及び２１は、制御部１０に接続され、この制御部１０に予め組込まれたプログラムによって各々弁２、３、６、７、８、９、２０、２１の開閉弁が制御されるように構成されている。
前記各水素吸蔵合金容器５〜５ｂには、加熱手段１１が設けられ、この加熱手段１１には、前記燃料電池１からの排熱１２が温度調整弁１３及び熱交換器１４を介して接続され、加熱されるように構成されている。
【００１３】
次に、動作について述べる。まず、燃料電池に供給される水素ガスは、発電効率を上げるために比較的高圧で運用される場合がある。このときは、供給する水素ガス圧力を挙げる必要があり、水素吸蔵合金を利用したタンクの場合、燃料電池より低い圧力で貯蔵されている水素ガスは利用されず水素貯蔵タンク内に残存し使えない水素が残るため、水素の貯蔵効率が悪くなる。そこで、本発明では、水素を供給した後に容器に残っている水素はそのままでは燃料電池に利用することができないため、水素吸蔵合金が充填された容器を複数個用意し、まず、水素を供給し終えた容器は通常、その時点で運用を終了し、次の容器に切り替えて水素ガスを供給する。
また、図２は、水素吸蔵合金容器５、５ａ、５ｂと燃料電池１を用いた場合の水素の流れを示しており、燃料電池１に必要な供給圧が低下した場合は、水素を回収することになり、第２水素吸蔵合金容器５ａから燃料電池１に対して水素を放出することができることを示している。
【００１４】
次に、図４に基づいて、図１の装置における動作について述べる。
水素吸蔵合金に水素が充填された複数の容器５、５ａ、５ｂ・・・を用意し、まず、第１供給開閉弁６及び第１圧力調整弁２を開弁して酸素を燃料電池１に供給すると共に、第２供給開閉弁７を開弁して第１水素吸蔵合金容器５の水素が第２圧力調整弁３を介して燃料電池１へ供給され、供給を終えるとその時点で運用が終了され、第３供給開閉弁８を開弁して第２水素吸蔵合金容器５ａに切換えて水素を燃料電池１へ供給する（図４の▲１▼の状態）。
【００１５】
前記第２水素吸蔵合金容器５ａの水素供給が終了すると、その時点で運用が終了する。次に、図４の▲２▼のように、最初に供給を終了させた第１水素吸蔵合金容器５を冷却すると減圧され、燃料電池１の圧力より低くなる。
この状態で、第１、第２水素吸蔵合金容器５、５ａを第１接断弁２０を開弁することにより連結すると、第２水素吸蔵合金容器５ａ内の残存の水素が第１水素吸蔵合金容器５内に流入して吸蔵される。
【００１６】
その後、第１、第２水素吸蔵合金容器５、５ａの圧力が同一となった時点で第１接断弁２０を閉弁し、第１水素吸蔵合金容器５を加熱手段１１で加熱すると、この中の水素圧力が燃料電池１内の水素ガス圧力より高くなるため、燃料電池１への水素の供給が可能となる（図４の▲３▼の状態）。また、前述の容器の数は任意であると共に、水素の移動を行う容器の数も任意である。
【００１７】
尚、前記加熱手段１１は燃料電池１の排熱を用いているが、排熱以外の熱源を用いることもできる。また、前述の水素の移転に用いる水素は、容器内に限らず、燃料電池１から排気される水素を用いることもできる。また、前述の燃料電池１から排気される水素を精製し、容器５〜５ｂ内又は図５から図７に示されるように、回収・精製専用容器群又は回収・精製専用合金利用容器又は容器群を用いることもできる。回収・精製専用容器又は容器又は容器群を用いることにより、複数の容器により構成される場合、Ｈ２回収・昇圧利用時の各容器又は容器群におけるＨ２移動のための配管及び切替え弁の数の減少や制御方法の簡素化も行える。
図６及び図７に示すように、回収・精製専用合金利用容器又は容器群を用いることにより、燃料電池への水素供給が終了した水素吸蔵合金に残存した水素を多く回収し燃料電池へ供給することが可能となる。又、回収・精製利用容器の小型化が可能となる。
次に、図７により説明する。まず、ＭＨ２は、回収・精製専用合金の特性を表す。例えば、Ｈ２貯蔵量は比較的少ないが、Ｈ２回収・精製システム等に利用されるＡＢ５系合金を用いる。ＭＨ１は、Ｈ２貯蔵・供給用合金の特性を表わす。例えばＨ２貯蔵能力の大きいＢＣＣ系合金を用いる。Ｈ２貯蔵供給用容器ＭＨ１より燃料電池利用水素圧まで供給する。
この時、燃料電池利用水素圧以下は、合金内に残存する。次に、回収・精製専用合金を冷却し、水素供給を終了した容器を連結し、Ｈ２を移動させる。冷却した回収・精製専用合金のＨ２平衡圧がより低くなる特性を持つＭＨ２合金を利用することにより、ＭＨ１合金内に残存するＨ２を多く回収できる。
次に、利用可能な排熱をＭＨ２に供給し、ＭＨ１よりＭＨ２に回収したＨ２を燃料電池に供給可能な圧力まで昇圧し供給する。この時より放出量が多くなる特性を持つＭＨ２合金を利用することにより、ＭＨ２合金の使用量が少なくでき、ＭＨ２合金容器の小型化が可能となる。また、図８から図１２のように、車搭載用の場合、不純ガスと水素が大気中に放出されているが、この放出されている水素ガスを再度利用するクローズドサイクルによって水素消費量に対する発電効率を高められるが、燃料電池１は使用時間の経過と共に循環利用する水素ガスに含まれる水素ガス以外の不純ガス（Ｎ２、ＣＯ２他）が燃料電池内で濃縮されるため、燃料電池内の水素純度の低下により、燃料電池１の出力の低下があるが、図１１のように水素の循環精製をして水素純度向上操作を付加することにより、より一層燃料電池１の長期運転が可能となる。
【００１８】
【発明の効果】
本発明による水素吸蔵合金を用いた燃料電池用水素供給方法及び装置は、以上のように構成されているため、次のような効果を得ることができる。
すなわち、燃料電池への水素供給が終了した一対の水素吸蔵合金容器の一方を冷却減圧させ、他方の容器に残存した水素を一方の容器に流入させた後に加熱してこの水素を燃料電池に供給することができるため、従来、供給終了扱いされていた水素吸蔵合金容器内の残存水素を用いることができ、同じ容器でも水素の供給量を従来よりも大幅に向上させることができる。
【図面の簡単な説明】
【図１】本発明による水素吸蔵合金を用いた燃料電池用水素供給方法及び装置を示す構成図である。
【図２】図１の動作を示す説明図である。
【図３】図２の水素の放出及び回収操作を示す説明図である。
【図４】図１の水素移動を示す説明図である。
【図５】本発明の水素の回収・精製を示す説明図である。
【図６】図５の他の形態を示す説明図である。
【図７】（ａ）はＨ２回収・精製専用合金を用いた時のＨ２回収状態の説明図、（ｂ）はＨ２回収・精製専用合金を用いた時のＨ２昇圧利用状態の説明図である。
【図８】比較例としての車搭載時の水素の状態を示す説明図である。
【図９】水素のクローズドサイクルを示す説明図である。
【図１０】本発明の水素の循環精製利用を示す説明図である。
【図１１】クローズドサイクルによる燃料電池使用時間と不純ガス濃度の関係を示す特性図である。
【図１２】クローズドサイクルにおける水素純度機能を付加した時の燃料電池使用時間と出力の関係を示す特性図である。
【図１３】従来の水素吸蔵合金容器を用いた燃料電池用水素供給装置を示す構成図である。
【符号の説明】
１    燃料電池
２、３    圧力調整弁
４    酸素供給装置
５〜５ｂ    第１〜第３水素吸蔵合金容器
６、７、８、９    供給開閉弁
１０    制御部
１１    加熱手段
１２    排熱
１３    温度調整弁
１４    熱交換器
２０、２１    接断弁
【図１】
2005063703.tif 000003
【図２】
2005063703.tif 000004
【図３】
2005063703.tif 000005
【図４】
2005063703.tif 000006
【図５】
2005063703.tif 000007
【図６】
2005063703.tif 000008
【図７】
2005063703.tif 000009
【図８】
2005063703.tif 000010
【図９】
2005063703.tif 000011
【図１０】
2005063703.tif 000012
【図１１】
2005063703.tif 000013
【図１２】
2005063703.tif 000014
【図１３】
2005063703.tif 000015